(57)【要約】      （修正有）【課題】棒状ロングロットパーマ法で、軟鉄線挿入ロット、ロットの長さ、どの部分からでも毛髪移動用歯の角度、頭皮に対してアール状の角度も瞬時に対応が出来るようになった。【解決手段】従来ロットは右側面行き、左側面行きと一方方向しかリングの関係上出来なかったが、今回、軟鉄線を芯に挿入したことでアーチ型に曲がるロットの曲がりを逆転、アーチ上にも瞬時に対応出来るようになった。１本のロットが左右どちらへの進行にも対応が簡単で確実、スピード、方向性が一段と可能となった。また、技術時間５，６分、技術薬品時間終了時、頭部に取り付けた用具を取り外す時間２秒ほどで終了などで作業時間の短縮が可能となった。【選択図】図８
2006230964.tif 000002
【特許請求の範囲】
【請求項１】
（特許代３２８４４０５号）（請求項．４）に記載している、ロット、リングの件について其の後開発をした。ロングロットの安定を今以上に測ることが出来ることを開発した。人間は個々の頭形が複雑であり、ワンタッチパーマ法は長いパーマロットを使用する。右側面頭部より左側面頭部へと、左側面頭部より右側面頭部へと交互に頭部分に並べ、揃わせて行うパーマ方法であるが、頭部分の凹凸や毛髭、毛流が、本パーマ方法を悩ませていた。ロット、リングでは対応が遅れ勝ちであった。
今回は、前期パーマリングで対応していたが、ロングロットの内部に、直径２ｍｍ．ほどの丸い軟鉄線を芯として挿入し対応したところ、前記示したパーマ時の欠点が、１度に解消した。丁度鉛筆の芯を見る様に棒状ロングロットの姿が一新した。軟鉄線を挿入したロットはロットのどの部分からでも、方向や角度の設定が瞬時に可能となった。
正確さとスピードに対応出来るパーマ方法である。
【発明の詳細な説明】
【発明の詳細な説明】
【手続補正書】
【提出日】平成17年12月14日(2005.12.14)
【手続補正１】
【補正対象書類名】明細書
【補正対象項目名】全文
【補正方法】変更
【補正の内容】
【発明の詳細な説明】
【技術分野】
【０００１】  従来のパーマネントウェーブ方法は一般的に、ヒートウェーブ法とコールド法及び、ピンパーマ法とストレートパーマ法に大別される。又、毛髪を巻く方法としては、クロキノール法とスパイナル法があり、毛髪をロットに巻きつけて薬熱法、加熱法によりウェーブを作る。コールドウェーブ法の場合でも毛髪をロットに巻き付け、冷熱法、常温法によりウェーブを作る。いずれの方法にしても、毛髪をロットに巻きつけてから頭皮面に固定させて巻き癖をつける、従来からの巻き付ける技術は、優れた技術であるが、多すぎるカール作りに時間をかけ、毛髪を傷めては治すことの繰り返しの様に思える。
【発明の開示】
【課題を解決しようとする手段】
【０００２】  業界数十年来、活性化、活性化と呼ばれている業界の様に言われている今日、このような時代ならば特に逆転発想が必要なのだ。特に男性パーマの現状である、パーマは巻くものという観念からどうしても開発が遅れてくる。本願のワンタッチパーマ法により、機械力とは言えぬが棒状ロングロットパーマ方法で、作業時間の短縮、それに伴う料金問題などの解決に１種目でも社会に役立つ事を目的として提供するものです。
【発明を実施するための最良の形態】
【０００３】  技術分野の方々にも、長いロットで丸棒状下部には角度付けされた移動用歯を植え付け、頭髪に２〜３本棒状ロングロット（１）を乗せて交互に逆方向移動させるだけの簡単で、動作的な技術を請ずることなく、毛髪にパーマ状になる技術の中で、自然に毛髪にひねりが生じウェーブの山、谷となる全く新しい毛髪移動現象が見える。現在まで数百名モデルで研究と実証がとれた。技術する者も楽しく、モデルさん共々歓び合うパーマ法がロット芯を入れたことで確信を見た。
【手続補正書】
【提出日】平成17年12月15日(2005.12.15)
【手続補正１】
【補正対象書類名】明細書
【補正対象項目名】全文
【補正方法】変更
【補正の内容】
【発明の詳細な説明】
【技術分野】
【０００１】  従来のパーマネントウェーブ方法は一般的に、ヒートウェーブ法とコールド法及び、ピンパーマ法とストレートパーマ法に大別される。又、毛髪を巻く方法としては、クロキノール法とスパイナル法があり、毛髪をロットに巻きつけて薬熱法、加熱法によりウェーブを作る。コールドウェーブ法の場合でも毛髪をロットに巻き付け、冷熱法、常温法によりウェーブを作る。いずれの方法にしても、毛髪をロットに巻きつけてから頭皮面に固定させて巻き癖をつける、従来からの巻き付ける技術は、優れた技術であるが、多すぎるカール作りに時間をかけ、毛髪を傷めては治すことの繰り返しの様に思える。
【発明の開示】
【課題を解決しようとする手段】
【０００２】  業界数十年来、活性化、活性化と呼ばれている業界の様に言われている今日、このような時代ならば特に逆転発想が必要なのだ。特に男性パーマの現状である、パーマは巻くものという観念からどうしても開発が遅れてくる。本願のワンタッチパーマ法により、機械力とは言えぬが棒状ロングロットパーマ方法で、作業時間の短縮、それに伴う料金問題などの解決に１種目でも社会に役立つ事を目的として提供するものです。
【発明を実施するための最良の形態】
【０００３】  技術分野の方々にも、長いロットで丸棒状下部には角度付けされた移動用歯を植え付け、頭髪に２〜３本棒状ロングロット（１）を乗せて交互に逆方向移動させるだけの簡単で、動作的な技術を請ずることなく、毛髪にパーマ状になる技術の中で、自然に毛髪にひねりが生じウェーブの山、谷となる全く新しい毛髪移動現象が見える。現在まで数百名モデルで研究と実証がとれた。技術する者も楽しく、モデルさん共々歓び合うパーマ法がロット芯を入れたことで確信を見た。
【図面の簡単な説明】
【図１】丸棒状ロングロットの全体図
【図２】棒状ロングロット（１）の使用時は、ロングロット使用順番に並べロットの丸い輪の中に腕を通す。丁度数の多い腕輪をした様にロットを止め置く。使用するロットは下から順次使用するので、自然にロットは手元に下りて来る。体を動かす事なく行える本願パーマは楽しく面白い叙景である。
【図３】棒状ロングロット（１）本体部分縦断面（２）（３）（４）具体例で示す各位置図
【図４】棒状ロンルロット（Ａ）（Ｂ）（Ｃ）（Ｄ）１本１本交互に逆方向進行図（４）は常に中心になり（５）の係合部ゴムは伸びて棒状ロングロット（１）の安定具合を示した側面図。
【図５】棒状ロングロット（１）の角度を示す図。棒状ロングロット（１）に毛髪移動用歯（３）は４５°−９０°に植えてあるが、棒状ロングロット（１）の本体はロットリング（２）に１３０°−９０°として、長いロットは内径に向けて角度付けされていることを示す縦断図。
【図６】後頭部のロットは短くなり逆に前径に向け５０°のロット角度となる棒状ロングロット（１）の縦断図
【図７】ヘアーミット（７）の斜視図
【図８】棒状ロングロット（１）を使用して技術した後頭部の透視図  全体側面図
【図９】棒状ロングロット（１）を使用して技術した後頭部の透視図
【図１０】新開発した棒状ロット（１）全体側面透写図
【図１１】断面図
【図１２】棒状ロングロット長さの中心部分に（４）両３０ｃｍの数字はロットの長さを表現している。（８）（９）の矢印はロット進行方向３０ｃｍの数字が逆転しているのは逆転進行も可能としたロット。
【符号の説明】
１．．棒状ロングロット
２．ロットリング
３．毛髪移動用歯
４．ロットメジャー
５．調整可能ゴム付き係合部
６．係合部
７．ヘアーミット
８．棒状ロングロット係止部
９．ヘアーミット合わせ部
１０．耳穴部
１１．スポンジ裏あて材
１２．耳穴
１３．キャップ係止部
１４．ウェーブの山
１５．ウェーブの谷
１６．外周ファスナーマジック
１７．ロットリングに変わり軟鉄線
１８．新ロットメジャー
１９．ロットの移動進行方向矢印
【手続補正３】
【補正対象書類名】図面
【補正対象項目名】全図
【補正方法】追加
【補正の内容】
【図１】
2006230964.tif 000003
【図２】
2006230964.tif 000004
【図３】
2006230964.tif 000005
【図４】
2006230964.tif 000006
【図５】
2006230964.tif 000007
【図６】
2006230964.tif 000008
【図７】
2006230964.tif 000009
【図８】
2006230964.tif 000010
【図９】
2006230964.tif 000011
【図１０】
2006230964.tif 000012
【図１１】
2006230964.tif 000013
【図１２】
2006230964.tif 000014